(57)【要約】【課題】キャタピラ型の外装材において、屈曲可能とする切り込みによる反り発生や異物の侵入を防止する。【解決手段】縦壁の上下両端に上壁と下壁を連続させた断面コ字形状の第１部材と第２部材を備え、前記第１部材および第２部材の縦壁から上壁に連続する切り込みを長さ方向に間隔をあけて設け、かつ、前記第１部材の上壁の前記切り込みに挟まれた分割片の下面中央に下向きの段状突起を設けると共に、前記第２部材の上壁の前記切り込みに挟まれた分割片の上面中央に上向きの段状突起を設け、前記第１部材と第２部材の縦壁同士を対向配置し、該第１部材の上壁の下面を前記第２部材の上壁に載せると共に、前記第１部材の下壁の上面に前記第２部材の下壁を載せて該第１、第２部材とで四角筒状に組み立て、かつ、前記第１、第２部材の縦壁の前記切り込みを対向させずに長さ方向に交互に千鳥配置で位置させ、前記第１部材の上壁の前記切り込みに前記第２部材の上壁の前記段状突起を嵌合させている。【選択図】図１
2016082693.tif 000002
【特許請求の範囲】
【請求項１】
ワイヤハーネスに外装するキャタピラ型の外装材であって、
縦壁の上下両端に上壁と下壁を連続させた断面コ字形状の第１部材と第２部材を備え、  前記第１部材および第２部材の縦壁から上壁に連続する切り込みを長さ方向に間隔をあけて設け、かつ、前記第１部材の上壁の前記切り込みに挟まれた分割片の下面中央に下向きの段状突起を設けると共に、前記第２部材の上壁の前記切り込みに挟まれた分割片の上面中央に上向きの段状突起を設け、
前記第１部材と第２部材の縦壁同士を対向配置し、該第１部材の上壁の下面を前記第２部材の上壁に載せると共に、前記第１部材の下壁の上面に前記第２部材の下壁を載せて該第１、第２部材とで四角筒状に組み立て、かつ、
前記第１、第２部材の縦壁の前記切り込みを対向させずに長さ方向に交互に千鳥配置で位置させ、前記第１部材の上壁の前記切り込みに前記第２部材の上壁の前記段状突起を嵌合させて前記切り込みが開いて発生する隙間を前記第２部材の上壁で塞ぐようにし、かつ、前記第１部材の上壁の下向きの前記段状突起を第２部材の上壁の前記切り込みに嵌合させる構成としていることを特徴とするワイヤハーネス用の外装材。
【発明の詳細な説明】
【技術分野】
【０００１】
本発明はワイヤハーネス用の外装材に関し、詳しくは、キャタピラ型の外装材を改良するものである。
【背景技術】
【０００２】
従来、自動車等の車両に配索するワイヤハーネスの電線群は、コルゲートチューブ、プロテクタ等の外装材で外装し、あるいは粘着テープを巻き付けて集束保護している。ワイヤハーネスがスライドシート、スライドドア等に配索され、シートやドアの移動に応じてワイヤハーネスも移動する場合、該ワイヤハーネスの全長を屈曲および伸縮が可能なコルゲートチューブで外装している場合が多い。
前記コルゲートチューブを外装材として用いると、コルゲートチューブは全周のいずれの方向にも屈曲できるため、屈曲方向の規制ができず、周辺機器と接触する恐れがある。  さらに、配索スペースが断面四角形状であると、丸型のコルゲートチューブで外装したワイヤハーネスを通すと、配索スペースに挿通できるワイヤハーネスの電線本数が減少し、配索スペースを有効利用できない問題がある。
【０００３】
前記問題に対して、本出願人は特開２０１３−４９４０２号公報で図７（Ａ）〜（Ｄ）に示すスライドシート１５０に接続するワイヤハーネス２００の外装材１００として、組立式四角筒状のキャタピラ型の外装材を提供している。該キャタピラ型の外装材１００は図７（Ｂ）に示すように、樹脂製の帯状の平板１０１に長さ方向Ｘに延在する４本の折曲ラインＡ〜Ｄを幅方向Ｙの中間部に間隔をあけて設け、かつ、幅方向の両側縁の一方側に係止突片１０２を設けると共に他方側に係止穴１０３を設け、折曲ラインＡ〜Ｄに沿って折り曲げて四角筒形状とすると共に、係止穴１０３に係止突片１０２を挿入係止して四角筒に保持している。さらに、折曲ラインＡ〜Ｄを結ぶ幅方向に切込ラインＫを長さ方向に間隔をあけて設け、四角筒の３辺１１１、１１２、１１３を分離させている。
【０００４】
前記のように組み立てた外装材１００は、前記分離された中央の辺１１２と対向する切込ラインＫが無い辺１１４は伸びることができない。よって、図７（Ｃ）（Ｄ）に示すように、ワイヤハーネス２００に外装した外装材１００は、辺１１２が外周側となって一方向きＣ１にのみ屈曲でき、辺１１２が内周側となる他方向きＣ２に屈曲できない。
このように、前記外装材１００は一方向にのみ屈曲できるため、屈曲方向を規制して周辺機器との接触を防止する必要があるワイヤハーネスの外装材として好適に用いられる。かつ、構成が非常に簡単であるため安価に製造できる利点もある。  
【先行技術文献】
【特許文献】
【０００５】
【特許文献１】特開２０１３−４９４０２号公報
【発明の概要】
【発明が解決しようとする課題】
【０００６】
前記のように、特許文献１のキャタピラ型の外装材１００は、幅方向の切込ラインＫにより一方向に屈曲させることができる利点がある。よって、図８に示すように、スライドシート１５０に接続するスライドシート用のワイヤハーネス２００を外装材１００で外装し、該ワイヤハーネスの上方の一端Ｐ１をスライドシート１５０の下面に固定し、下方の他端Ｐ２をフロア１６０側に固定して用いることができる。
【０００７】
前記のように、スライドシートとフロアとの間に配索するスライドシート用のワイヤハーネス２００はスライドシート１５０の図中矢印ＦＲで示す前後移動に追従して外装材１００で外装したワイヤハーネスが矢印ｆｒで示す前後方向に移動する。其の際、外装材１００は外周側に切込ラインＫを設けた辺１１２が位置し、スライドシート１５０の下面と対向して位置する。
【０００８】
前記のように、スライドシート１５０の下面と対向する外装材１００の上面に切込ラインＫからなる隙間を挟んで分割した辺１１２が位置すると、スライドシート１５０およびワイヤハーネスの移動時に、外装材１００の内部を挿通するワイヤハーネス２００の電線の反力により、外装材１００の切込ラインＫを挟む両側の辺１１２Ａ、１１２Ｂが図９（Ｂ）に示すように反り上がる現象が発生しやすい。この反り上がりは両側の辺１１２Ａ、１１２Ｂの近接端側が切込ラインＫの隙間に入り込むように下方傾斜し、他端側が上方傾斜する現象により発生する。このような反り上がりが切込ラインＫを挟んで両側の辺１１２に連続して発生すると、図９（Ｃ）の矢印で示すように、外装材１００は矢印で上向きに膨出した状態で反り上がりが発生する恐れがあり、同様に、フロア１６０側でも下向きの辺１１２に下向きの反りが発生する恐れがある。
【０００９】
外装材１００で外装したワイヤハーネスを湾曲して配索するスライドシート下面とフロア側の間の配索スペースの上下高さＨは狭いため、外装材１００に上向きの反りが発生するとスライドシートの下面と接触する恐れがあり、下向きの反りが発生するとフロア側部材と接触する恐れがある。このように、外装材１００が周辺部材と接触し、接触した辺が移動不可となると、ワイヤハーネスはスライドシートに追従できなくなるか、外装材１００が破損することになる。
さらに、屈曲時に外周側の切込ラインＫが大きな隙間となり、該隙間から埃、砂等の異物が侵入しやすくなる問題もある。
【００１０】
本発明は前記キャタピラ型の外装材において、屈曲可能とするための幅方向の切り込みを設けながら、該切り込みで分離された隣接辺の間の隙間を無くして、前記反りの発生を防止および異物侵入を防止できるようにすることを課題としている。
【課題を解決するための手段】
【００１１】
前記課題を解決するため、本発明は、ワイヤハーネスに外装するキャタピラ型の外装材であって、
縦壁の上下両端に上壁と下壁を連続させた断面コ字形状の第１部材と第２部材を備え、  前記第１部材および第２部材の縦壁から上壁に連続する切り込みを長さ方向に間隔をあけて設け、かつ、前記第１部材の上壁の前記切り込みに挟まれた分割片の下面中央に下向きの段状突起を設けると共に、前記第２部材の上壁の前記切り込みに挟まれた分割片の上面中央に上向きの段状突起を設け、
前記第１部材と第２部材の縦壁同士を対向配置し、該第１部材の上壁の下面を前記第２部材の上壁に載せると共に、前記第１部材の下壁の上面に前記第２部材の下壁を載せて該第１、第２部材とで四角筒状に組み立て、かつ、
前記第１、第２部材の縦壁の前記切り込みを対向させずに長さ方向に交互に千鳥配置で位置させ、前記第１部材の上壁の前記切り込みに前記第２部材の上壁の前記段状突起を嵌合させて前記切り込みが開いて発生する隙間を前記第２部材の上壁で塞ぐようにし、かつ、前記第１部材の上壁の下向きの前記段状突起を第２部材の上壁の前記切り込みに嵌合させる構成としていることを特徴とするワイヤハーネス用の外装材を提供している。
【００１２】
前記第１部材および第２部材は樹脂成形品からなり、ワイヤハーネスの電線群を集束保護する必要がある外装領域に連続して外装できる長さを有するものとしている。ワイヤハーネスの電線群は第２部材の縦壁と対向する開口から横入れして挿通し、その後、該第２部材に第１部材を組み合わせて四角筒とし、第１、第２部材の対向する縦壁と上下に重なる上壁および下壁で挿通する電線群を囲んでいる。第１部材と第２部材は長さ方向の両端で引き出されるワイヤハーネスの電線群とテープ巻き固着して、四角筒に組み立てた第１部材と第２部材とを連結固着すると共に、該第１、第２部材と電線群も固着している。即ち、長さ方向の両端を除く部分では、第１部材と第２部材とはテープ巻き等で連結固着しておらず前記切り込みにより分割片を設けることで屈曲自在の機能を持たせている。
【００１３】
前記本発明のキャタピラ型の外装材では、第１部材および第２部材とも長さ方向に間隔をあけて上壁から縦壁へと連続する切り込みを幅方向に設け、該第１、第２部材を組み合わせて四角筒とした状態で、上壁および左右縦壁の３辺の切り込みで長さ方向に分割片を連続させ、下壁の１辺は切り込みのない連続壁としているため、前記特許文献１で提示したキャタピラ型の外装材と同様に上壁が外周側となって屈曲できるが、内周側の下壁は屈曲できず、屈曲方向を規制できるキャタピラ型の外装材とすることができる。  
【００１４】
また、本発明の外装材では、外周側となる第１部材の上壁の切り込みに下面から第２部材の段状突起を嵌合することで、前記切り込みにより生じる隙間を下面側の第２部材の上壁で塞いで無くしている。よって、ワイヤハーネスおよび外装材が湾曲し、切り込みを挟む分割片が離れて隙間ができても、前記段状突起を突出した第２部材の上壁で前記隙間の下面を閉鎖し、上面側の第１部材の切り込みを挟む上壁の両側の分割片の近接側が下向きに傾斜するのを防止できる。その結果、前記図９（Ｂ）（Ｃ）に示すスライド時に反り上がり発生するのを防止できる。
【００１５】
前記本発明のワイヤハーネス用外装材は、自動車に搭載するスライドシートとフロアとの間に配索するスライドシート用のワイヤハーネスの外装材として好適に用いられる。
具体的には、前記スライドシート用のワイヤハーネスは、フロアハーネスの幹線から分岐する枝線からなる電線群、前記枝線にコネクタ接続するを電線群、あるいは前記スライドシート内に配索するシートハーネスからフロア側へ延在させて前記フロアハーネスとコネクタ接続する電線群からなり、スライドシートの下面と車室床面材下方のフロアパネルとの間に前記外装材で外装した状態で横向きＪ形状に配索される。詳細には、スライドシート側との固定点からスライドシート下面に引き出される外装材は、その上壁をスライドシートの下面に沿って後方へと水平方向に延在し、後端側で下方にＵ字状に湾曲した後に前方へ水平に延在し、その先端をフロア側に固定している。
【００１６】
前記のように、スライドシートの下面に沿って配索するワイヤハーネスを前記外装材で外装すると、スライドシートの下面に近接して配置される外装材の上壁を直線に保持でき、反り返って上方へ突出して、スライドシートの下面と外装材が接触するのを防止できる。よって、スライドシートの移動にワイヤハーネスをスムーズに追従でき、かつ、スライドシート下方の狭いスペースにワイヤハーネスを配索することができる。
【発明の効果】
【００１７】
本発明のワイヤハーネス用の外装材は、第１部材および第２部材とも長さ方向に間隔をあけて上壁から縦壁へと連続する切り込みを幅方向に設け、該第１、第２部材を組み合わせて四角筒とした状態で、上壁および左右縦壁の３辺の切り込みで長さ方向に分割片を連続させ、下壁の１辺は切り込みのない連続壁としているため、上壁が外周側となって屈曲できるが、内周側の下壁は屈曲できず、屈曲方向を規制できるキャタピラ型の外装材とすることができる。  
また、本発明の外装材では、外周側となる第１部材の上壁の切り込みに下面から第２部材の段状突起を嵌合することで、前記切り込みにより生じる隙間を下面側の第２部材の上壁で塞いで無くしている。よって、ワイヤハーネスおよび外装材が湾曲し、切り込みを挟む分割片が離れて隙間ができても、前記段状突起を突出した第２部材の上壁で前記隙間の下面を閉鎖し、上面側の第１部材の切り込みを挟む上壁の両側の分割片の近接側が下向きに傾斜するのを防止できる。その結果、スライド時に反り上がりが発生するのを防止できる。かつ、切り込みにより空隙が発生しないため、埃や砂等の異物の侵入を防止できる。
【図面の簡単な説明】
【００１８】
【図１】本発明のワイヤハーネス用の外装材を示し、（Ａ）は分解斜視図、（Ｂ）は組み立てた状態の斜視図である。
【図２】（Ａ）は外装材の第１部材の一部正面図、（Ｂ）は第２部材の一部正面図、（Ｃ）は図１（Ｂ）の正面図である。
【図３】図２（Ｃ）の拡大図である。
【図４】（Ａ）は前記外装材にワイヤハーネスの電線群を挿通している状態の一部斜視図、（Ｂ）は全体正面図である。
【図５】（Ａ）は前記外装材が屈曲した状態を示す一部斜視図、（Ｂ）は（Ａ）の要部拡大図である。
【図６】スライドシート用のワイヤハーネスを前記外装材で外装した状態を示し、（Ａ）は概略全体構成図、（Ｂ）は一部拡大斜視図である。
【図７】（Ａ）〜（Ｄ）は従来例を示す図面である。
【図８】前記従来例の外装材で外装したワイヤハーネスの配索例を示す図面である。
【図９】（Ａ）〜（Ｃ）は前記従来の配索例で生じる問題点を説明する図面である。
【発明を実施するための形態】
【００１９】
以下、本発明のワイヤハーネス用の外装材の実施形態を図面を参照して説明する。
本発明の外装材は、図１に示すキャタピラ型の外装材１からなる。該外装材１は、縦壁の上下両端に上壁と下壁を連続させたコ字形状の第１部材２と第２部材３とを組み合わせて四角筒とし、該四角筒の内部空間をワイヤハーネス２００（図４に示す）を構成する電線群の挿通路としている。
【００２０】
第１部材２は、縦壁２ａの上端から上壁２ｂ、下端から下壁２ｃが横向きに突設したコ字形状である。縦壁２ａに長さ方向Ｘに一定間隔をあけて上下全長に切り込み２ｄを設け、該切り込み２ｄの上端に連続させて上壁２ｂの突出端へと幅方向Ｙの切り込み２ｅを設けている。即ち、切り込み２ｄと２ｅとからなる連続したＬ形状の切り込みを縦壁２ａから上壁２ｂにかけて設けている。これにより、第１部材２の上壁２ｂは切り込み２ｅを挟む分割片２ｆが長さ方向に並設し、各分割片２ｆは縦壁２ａの切り込み２ｄで分割された分割片２ｇにそれぞれ連続する。即ち、分割片２ｆ、２ｇが連続したＬ字片が長さ方向に並ぶ形状としている。また、上壁２ｂの各分割片２ｆの下面には、その長さ方向の中央位置で段状突起２ｋを切り込み２ｅと平行に突設している。
【００２１】
第２部材３は、第１部材２と同様なコ字形状である。即ち、縦壁３ａの上端から上壁３ｂ、下端から下壁３ｃが横向きに突設している。縦壁３ａに長さ方向Ｘに一定間隔をあけて上下全長に切り込み３ｄを設け、該切り込み３ｄの上端に連続させて上壁３ｂの突出端へと切り込み３ｅを設けている。即ち、切り込み３ｄと３ｅとからなる連続したＬ形状の切り込みを縦壁３ａから上壁３ｂにかけて設けている。これにより、第２部材３の上壁３ｂは切り込み３ｅを挟む分割片３ｆが長さ方向に並び、各分割片３ｆは縦壁３ａの切り込み３ｄで分割された分割片３ｇにそれぞれ連続する。即ち、分割片３ｆ、３ｇが連続したＬ字片が長さ方向に並ぶ形状としている。また、上壁３ｂの各分割片３ｆの上面には、その長さ方向の中央位置で段状突起３ｋを切り込み３ｅと平行に突設している。
【００２２】
第１、第２部材２、３の下壁２ｃ、３ｃには切り込みを設けず、平板状に連続させている。また、縦壁３ａに設けた切り込み３ｄの下端に小円３ｍを設け、切り込み３ｄの先端からの亀裂発生を防止している。
【００２３】
前記第１部材２の切り込み２ｄ、２ｅおよび第２部材３の切り込み３ｄ、３ｅの幅寸法ａは約１ｍｍとしている。また、第１、第２部材２、３の段状突起２ｋ、３ｋの幅ｂは前記幅ａより僅かに小さくし、切り込み２ｅに段状突起３ｋ、切り込み３ｅに段状突起２ｋを挿入すると、隙間なく嵌合できるようにしている。
【００２４】
また、前記第２部材３の縦壁３ａの上下寸法は第１部材２の縦壁２ａの上下寸法より小さくし、図１（Ｂ）に示すように、 前記第１部材２と第２部材３の縦壁２ａと３ａを対向配置し、第１部材２の上壁２ｂの下面を第２部材３の上壁３ｂに載せると共に、第１部材２の下壁２ｃの上面に第２部材３の下壁３ｃを載せて、第１、第２部材２、３を四角筒状に組み立てられるようにしている。
【００２５】
かつ、組み立て時に、第１部材２の縦壁２ａの切り込み２ｄと第２部材３の縦壁３ａの切り込み３ｄを対向させず、長さ方向Ｘに交互に千鳥配置で位置させ、第１部材２の上壁２ｂの切り込み２ｅに第２部材３の上向きの段状突起３ｋを挿入し、第２部材３の上壁３ｂの切り込み３ｅに第１部材２の下向きの段状突起２ｋを挿入している。このように、四角筒状に組み立てる外装材１の外周側となる上面の切り込み２ｅに段状突起３ｋが嵌合して、図２に示すように、段状突起３ｋを挟む上面の分割片２ｆが直線状となるように保持している。
【００２６】
前記第１部材２と第２部材３とから組み立てる外装材１は、ワイヤハーネス２００の電線群を集束保護する必要がある外装領域に連続して外装できる長さとしている。
図４に示すように、外装材１で複数の電線からなるワイヤハーネス２００を外装する作業は、まず、第３部材２に対して縦壁３ａと対向する開口からワイヤハーネス２００の電線を長さ方向に対して直交方向から横入れして、長尺な第２部材３の内部にワイヤハーネス２００を挿通する。ついで、該第２部材３に第１部材２を外嵌して組み合わせ、四角筒とし、第１、第２部材２、３の対向する縦壁２ａ、３ａと上下に重なる上壁２ｂと３ｂおよび下壁２ｃと３ｃでワイヤハーネス２００の電線群を囲んでいる。
【００２７】
図４（Ｂ）に示すように、第１部材２と第２部材３は長さ方向Ｘの両端で引き出されるワイヤハーネス２００の電線群と粘着テープ３０を巻き付けてテープ巻き固着している。これにより、四角筒に組み立てた第１部材２と第２部材３とを連結固着すると共に、該第１、第２部材２、３とワイヤハーネス２００の電線群も固着している。
【００２８】
即ち、長さ方向の両端を除く部分では、第１部材２と第２部材３とはテープ巻き等で連結固着しておらず、前記切り込み２ｄ、２ｅ、３ｄ、３ｅにより長さ方向Ｘに上壁を分割片２ｆ、３ｆで構成し、縦壁を分割片２ｇ、３ｇで構成している。
【００２９】
前記構成とし、上壁を分割片３ｆ、２ｆを千鳥配置で上下に重ね、対向する左右縦壁を分割片２ｇ、３ｇで構成、下壁が切り込みが無い連続部から構成し、図３に示すように、上壁を外周とすると、図中、実線矢印で示すように下向きに曲がるが、点線矢印で示す上向きには曲がらず、外装材１の屈曲方向は一方向に規制される。
【００３０】
また、外装材１は、外周側の上面となる第１部材２の上壁２ｂの切り込み２ｅに下側から第２部材３の段状突起３ｋを挿入して嵌合することで、切り込み２ｅにより分割片２ｆの間に隙間は発生せず、外装材１の上面は図３および図４（Ａ）に示すように直線に保持できる。
【００３１】
一方、外装材１で外装するワイヤハーネス２００の上面が後端から下向きに曲がる力が作用すると、外装材１もワイヤハーネス２００の作動に追従し、図５に示すように、上壁を構成する上面側の上壁２ｂの切り込み２ｅ、下面側の上壁３ｂの切り込み３ｅが開き、隣接する分割片２ｆと２ｆの間、分割片３ｆと３ｆの間が広がる。この状態で、図５（Ｂ）に拡大して示すように、上面側の分割片２ｆと２ｆの間の中央に段状突起３ｋが位置すると共に、段状突起３ｋを挟む分割片３ｆの両側上面が位置し、隣接する分割片２ｆと２ｆの間の拡がった切り込み２ｅを下側の第２部材３の上壁３ｂの分割片３ｆで塞ぎ、空隙を発生させない。これにより、ワイヤハーネス２００の移動時に電線の反力等により、切り込み２ｅを挟む両側の分割片２ｆ、２ｆが前記図９（Ｂ）に示すように、切り込み２ｅに発生する空隙に向けて傾斜するように反り上がろうとしても、空隙が下側の分割片３ｆで塞がれるため、上側の分割片２ｆに反り上がりが発生するのを防止できる。かつ、屈曲時に空隙が発生しないため、空隙から埃や砂等の異物が外装材１の内部に侵入するのを防止できる。
【００３２】
前記外装材１で外装したワイヤハーネス２００を、図６（Ａ）に示すように、自動車に搭載するスライドシート１５０に配索する場合に好適に用いられる。
前記ワイヤハーネス２００はフロアハーネスの幹線から分岐するワイヤハーネスで、該ワイヤハーネス２００の先端をスライドシート１５０の下面に固定し、車室床材１７０の下方で前後方向に直線状に配索した後に後端側で下向きに屈曲した後に前方へ直線状に配索し、言わば、横向きＵ形状に配索して、フロアパネル１６０に固定している。
【００３３】
スライドシート１５０の前後移動に追従して、外装材１で外装したワイヤハーネス２００の上面は車室床材１７０の下面に沿って前後方向に移動し、ワイヤハーネス２００の下面はフロアパネル１６０に沿って前後方向に移動する。この移動時に外装材１の屈曲面に前記図４に示すように切り込み２ｅをはさむ両側の分割片２ｆに反りが発生するのを防止している。よって、外装材１の上面側に反り上がりが発生せず直線に保持できるため、車室床材１７０への接触およびフロアパネル１６０への接触を防止できる。
【００３４】
本発明の外装材１は前記スライドシートに配索するワイヤハーネスの外装材に限定されず、他の箇所に屈曲自在に配索されるワイヤハーネスの外装材としても好適に利用できる。
【符号の説明】
【００３５】
１  外装材
２  第１部材
３  第２部材
２ａ、３ａ  縦壁
２ｂ、３ｂ  上壁
２ｃ、３ｃ  下壁
２ｄ、２ｅ、３ｄ、３ｅ  切り込み
２ｆ、２ｇ、３ｆ、３ｇ  分割片
２ｋ、３ｋ  段状突起
１５０  スライドシート
１６０  フロアパネル
１７０  車室床材
２００  ワイヤハーネス
【図１】
2016082693.tif 000003
【図２】
2016082693.tif 000004
【図３】
2016082693.tif 000005
【図４】
2016082693.tif 000006
【図５】
2016082693.tif 000007
【図６】
2016082693.tif 000008
【図７】
2016082693.tif 000009
【図８】
2016082693.tif 000010
【図９】
2016082693.tif 000011